(57)【要約】    【課題】  交換レンズの各種の動作を駆動させる操作手段（押圧スイッチ）を操作部材（スイッチングリング）５１の周上であって、ユーザ（撮影者）の好みに合った位置に設定することができ、かつ操作手段の位置調整時の信頼性の高いレンズ鏡筒を得ること。    【解決手段】  操作手段、光軸方向へ移動する操作部材と、操作手段からの信号を受信する制御基板と、操作部材と係合する固定部材と、操作部材または固定部材の一方の周方向に配置された係合部材と、他方の周方向に配置された係合部材と係合可能な係合溝とを有し、操作部材を光軸方向への進退させることにより係合部材と係合溝の係合及び解除を行い、係合が解除されたときに、操作部材は回転可能となり、係合部材と係合溝は、光軸方向において操作手段の周方向の中心と制御基板との間の領域外に配置されていること。【選択図】    図１
2012154997.tif 000002
【特許請求の範囲】
【請求項１】
周方向に１つの以上の操作手段を有し、光軸方向へ移動する円筒形状の操作部材と、前記操作手段からの信号を受信する制御基板と、前記操作手段と前記制御基板を接続する接続部材と、前記操作部材を光軸方向に付勢可能な付勢部材と、前記操作部材の内側に配置され、前記操作部材と係合する固定部材と、前記操作部材または前記固定部材の一方の周方向に配置された係合部材と、他方の周方向に配置された前記係合部材と係合可能な係合溝とを有し、前記係合部材又は前記係合溝のうち一方の一部材は周方向に複数配置されており、前記操作部材を光軸方向への進退させることにより前記係合部材と前記係合溝の係合及び解除を行い、該係合が解除されたときに、前記操作部材は回転可能となり、前記周方向に複数配置された一方の部材の任意の位相の位置に前記係合部材又は前記係合溝のうち他方の部材を係合させる構成を有するレンズ鏡筒であって、前記係合部材と前記係合溝は、光軸方向において前記操作手段の周方向の中心と前記制御基板との間の領域外に配置されていることを特徴とするレンズ鏡筒。
【請求項２】
前記操作部材の回転範囲を制限する制限手段を有し、該制限手段は、前記操作部材に設けた回転規制部と前記固定部材に設けた回転規制部材とを有し、前記一方の部材が形成された前記操作部材または前記固定部材は、その周方向に前記一方の部材が形成されていない領域を有し、前記領域に前記接続部材が位置されていることを特徴とする請求項１に記載のレンズ鏡筒。
【請求項３】
前記操作部材の光軸方向の移動量は、前記係合部材と前記係合溝とが係合及び解除するときの光軸方向の係合量よりも大きいことを特徴とする請求項１または２に記載のレンズ鏡筒。
【請求項４】
請求項１乃至３のいずれか１項のレンズ鏡筒を有していることを特徴とする撮像装置。
【発明の詳細な説明】
【技術分野】
【０００１】
本発明はレンズ鏡筒及びそれを有する撮像装置に関し、例えば電子スチルカメラ、ビデオカメラ、放送用カメラ等に好適なものである。
【背景技術】
【０００２】
従来、交換レンズのレンズ鏡筒の外観部には、操作者（撮影者）が操作できる箇所に交換レンズの各種の駆動を制御するための操作手段（例えば検知スイッチ）が設けられている。操作手段は指かかりを良くするため、例えば凸凹形状よりなっている。オートフォーカスもしくは手ぶれ補正機能を備えている交換レンズでは、撮影中に操作手段を操作することでオートフォーカス動作を停止させたり、手ぶれ補正機能の動作の可否を選択したりする。撮影に際して各種姿勢においても操作手段を操作することができるよう、例えばレンズ鏡筒の周方向の４箇所に操作手段を設けたものが知られている。
【０００３】
またレンズ鏡筒の外観部に設ける操作手段を凸凹形状とし、撮影時の操作性を向上させたり、レンズ鏡筒上の特定の位相のみの外観を凸形状とし、その箇所に内部構造を配置することで省スペース化を向上させたりする方法が知られている。しかし撮影者には個人差（例えば交換レンズのホールディングの仕方や手の大きさ）があり、また撮影条件にも差（例えば主に手持ちで撮影、一脚を使用、三脚を使用するなど）がある。このためレンズ鏡筒上に設ける操作手段の位置を全ての条件に一致させて設定することは困難である。
【０００４】
これらの問題点に対して、レンズ鏡筒の固定筒と操作手段を設けた外観部材との位相を調整した後に外観部材を固定筒に固定する方法を用いたレンズ鏡筒が知られている（特許文献１）。特許文献１では固定筒の外周にスイッチ装置が設けられているスイッチ取付筒を光軸回りに回転可能に設ける。スイッチ取付筒を光軸回りに回転させ、スイッチ装置が好みの位置にきたら、スイッチ取付筒をビスで固定筒に固定している。
【先行技術文献】
【特許文献】
【０００５】
【特許文献１】特開平０９−００５６０５号公報
【発明の概要】
【発明が解決しようとする課題】
【０００６】
特許文献１に開示されたスイッチ付レンズ鏡筒では、特許文献１の図１に示されたように、スイッチング素子６１とレンズ移動機構３０の駆動回路３９は信号線６５で接続されている。スイッチ取付筒４０を光軸回りに回転させて、各フォーカスロックスイッチ装置６０がユーザの好みの位置になったところで、スイッチ取付筒４０の複数の係合部４６のうちのいずれかにビス１を係合させてスイッチ取付筒４０を固定筒１０に固定している。しかしながら、スイッチング素子６１と駆動回路３９との間にビス１が配置されているのでビス１を締めこんだ際に信号線６５を断線してしまうことがある。
【０００７】
本発明は、交換レンズの各種の動作を駆動させる操作手段（押圧スイッチ）を操作部材（スイッチングリング）５１の周上である。そして、ユーザ（撮影者）の好みに合った位置に設定することができ、かつ操作手段の位置調整時の信頼性の高いレンズ鏡筒及びそれを有する撮像装置の提供を目的とする。
【課題を解決するための手段】
【０００８】
本発明のレンズ鏡筒は、周方向に１つの以上の操作手段を有し、光軸方向へ移動する円筒形状の操作部材と、前記操作手段からの信号を受信する制御基板と、前記操作手段と前記制御基板を接続する接続部材と、前記操作部材を光軸方向に付勢可能な付勢部材と、前記操作部材の内側に配置され、前記操作部材と係合する固定部材と、前記操作部材または前記固定部材の一方の周方向に配置された係合部材と、他方の周方向に配置された前記係合部材と係合可能な係合溝とを有し、前記係合部材又は前記係合溝のうち一方の一部材は周方向に複数配置されており、前記操作部材を光軸方向への進退させることにより前記係合部材と前記係合溝の係合及び解除を行い、該係合が解除されたときに、前記操作部材は回転可能となり、前記周方向に複数配置された一方の部材の任意の位相の位置に前記係合部材又は前記係合溝のうち他方の部材を係合させる構成を有するレンズ鏡筒であって、前記係合部材と前記係合溝は、光軸方向において前記操作手段の周方向の中心と前記制御基板との間の領域外に配置されていることを特徴としている。
【発明の効果】
【０００９】
本発明によれば、交換レンズの各種の動作を駆動させる操作手段（押圧スイッチ）を操作部材（スイッチングリング）５１の周上である。そして、ユーザ（撮影者）の好みに合った位置に設定することができ、かつ操作手段の位置調整時の信頼性の高いレンズ鏡筒が得られる。
【図面の簡単な説明】
【００１０】
【図１】本発明のレンズ鏡筒の実施例１の要部断面図の一部である。
【図２】本発明のレンズ鏡筒をレンズ交換式一眼レフカメラに装着した時の実施例１の要部断面図である。
【図３】図１に示したレンズ鏡筒の関連する構成の分解斜視図である。
【図４】図１の第１群鏡筒の凹溝部とスイッチを模式的に示した説明図である。
【発明を実施するための形態】
【００１１】
以下に、本発明の好ましい実施の形態を、添付の図面に基づいて詳細に説明する。本発明のレンズ鏡筒は、周方向に１つの以上の操作手段（押圧スイッチ）５９を有し、光軸方向へ移動する円筒形状の操作部材（スイッチリング）５１とを有する。更に操作手段５９からの信号を受信する制御基板（電気回路基板）３７と、操作手段５９と制御基板３７を接続する接続部材（フレキシブルプリント基板）６０とを有する。更に操作部材５１を光軸方向に付勢可能な付勢部材（締付リング）６４と、操作部材５１の内側に配置され、操作部材５１と係合する固定部材（第１群鏡筒）３１とを有する。
【００１２】
更に操作部材５１または固定部材３１の一方の周方向に配置された係合部材（係合ピン、凸部）５８と、他方の周方向に配置された係合部材５８と係合可能な係合溝（凹部）３１ｆとを有する。係合部材５８又は係合溝３１ｆのうち一方の一部材は周方向に複数配置されている。そして操作部材５１を光軸方向への進退させることにより係合部材５８と係合溝３１ｆの係合及び解除を行い、係合が解除されたときに、操作部材５１は回転可能となる。このとき操作部材５１の光軸方向の移動量Ｌ１は、係合部材５８と係合溝３１ｆとが係合及び解除するときの光軸方向の係合量Ｌ２よりも大きい。
【００１３】
そして周方向に複数配置された一方の部材の任意の位相の位置に係合部材５８又は係合溝３１ｆのうち他方の部材を係合させる構成を有する。このとき係合部材５８と係合溝３１ｆは、操作手段５９の周方向の中心と制御基板との光軸方向の間の領域外に配置されている。操作部材５１の回転範囲を制限する制限手段を有する。制限手段は、操作部材５１に設けた回転規制部５１ａと固定部材３１に設けた回転規制部材６６とを有している。そして一方の部材（係合溝）３１ｆが形成された操作部材５１または固定部材３１は、その周方向に一方の部材（係合溝）３１ｆが形成されていない領域３１ｇを有している。この領域３１ｇに接続部材６０のＵターン部が位置されている。
【００１４】
図２は、本発明の実施例１にかかわるレンズ鏡筒（交換レンズ）をレンズ交換式デジタル一眼レフカメラ（撮像装置）に適用したときの要部断面図である。図２では、撮影光学系のレンズ光軸（撮影光軸、以下光軸という）ＡＸＬの方向をＺ方向とし、レンズ光軸ＡＸＬに対して直交する方向であって、撮像面６に平行な２方向のうち横方向をＸ方向、縦方向をＹ方向としている。１はカメラ本体（以下、単にカメラという）である。２はカメラ１に着脱可能に装着された交換レンズである。
【００１５】
まず、カメラ１の構造について説明する。図２で示した状態において、メインミラー３は交換レンズ２からの光束の光路上に配置され、その光束の一部を反射してファインダ光学系Ｆ０に導き、かつ残りの光束を透過させる。メインミラー３の背後（像側）にはサブミラー４が配置されており、メインミラー３を透過した光束を反射して焦点検出ユニット５に導く。なお、メインミラー３およびサブミラー４は不図示の駆動機構により上記光路から一体的に退避することが可能となっている。焦点検出ユニット５は、いわゆる公知の位相差検出方式を用いて交換レンズ２の焦点状態の検出を行う。
【００１６】
焦点検出ユニット５は、入射した光束を２つの光束に分割するセパレータレンズと、分割した光束で各々被写体像を再結像させる２つの再結像レンズを有する。更に再結像した２つの被写体像をそれぞれ光電変換するＣＣＤセンサ等のラインセンサ等から構成されている。なお、ラインセンサは、被写体の縦方向（Ｙ方向）と横方向（Ｘ方向）の像位置を検出するよう十字型に配置されている。
【００１７】
６はＣＣＤセンサ又はＣＭＯＳセンサにより構成される撮像素子であり、この撮像素子６の受光面（撮像面）上には交換レンズ２からの光束による物体像（像）が結像する。撮像素子６は、結像した被写体像を光電変換し、撮像信号を出力する。また、不図示の電子制御式フォーカルプレーンシャッタにより撮像素子６の露光量を制御する。ファインダ光学系Ｆ０は焦点板６ａに結像した被写体像を反転させる像反転手段としてのペンタプリズム７と、接眼レンズ８とを有している。９はディスプレイパネルであり、撮像素子６で得られた被写体像を不図示の信号処理部で処理し、それから出力される画像やその他様々な撮影情報を表示する機能を持つ。
【００１８】
交換レンズ２は被写体側から像側へ順に、固定レンズとしての第１レンズユニット１０１、フォーカスレンズとしての第２レンズユニット１０２、固定レンズとしての第３レンズユニット１０３を有する。さらに、像ぶれを補正するための防振レンズとしての第４レンズユニット１０４、固定レンズとしての第５レンズユニット１０５、第６レンズユニット１０６を有している。
【００１９】
絞りユニット１０７は第３レンズユニット１０３の前側（被写体側）に配置されており、交換レンズ２内を通過してカメラ１側に至る光束の光量を調節する。なお、上記レンズユニット１０１〜１０６および絞りユニット１０７は撮影光学系の一部を構成している。第２レンズユニット１０２は、フォーカスユニット１０８からの駆動力を受けて光軸ＡＸＬ上を移動して焦点調節を行う。第４レンズユニット１０４は、防振ユニット１０９からの駆動力を受けて、光軸に対して垂直な平面内で駆動し、像ぶれを補正する。第６レンズユニット１０６はＹ方向に抜き差し可能であり、必要に応じて偏光フィルタ等に変更することができる。
【００２０】
本実施例の交換レンズ２は単一焦点距離の撮影光学系を有しているが、ズーム機能を有するズームレンズを有していても良い。
【００２１】
次に、交換レンズ２（レンズ鏡筒）の構造について説明する。
交換レンズ２において、２１は外装環であり、カメラ１に着脱可能なマウント３８に固定される。２２は固定筒であり、外装環２１に固定される。２３は中間筒であり、固定筒２２に固定される。２４は案内筒であり、案内溝２４ａ、フォーカスユニット１０８との取り付け部（不図示）を備える。案内溝２４ａはフォーカス用の第２群鏡筒３２の直進案内を行う。また、案内筒２４は締結等の方法でフォーカスユニット１０８に固定される。
【００２２】
２５はカム筒であり、カム溝２５ａとフォーカスユニット１０８の出力部と係合する溝部（不図示）とを有する。カム筒２５は案内筒２４の外径側に配置され、前・後端の２箇所で径嵌合している。そして不図示の規制部材によってカム筒２５は案内筒２４に対して回転可能に保持される。
【００２３】
フォーカスユニット１０８を駆動すると、フォーカスユニット１０８の出力部である不図示のキー部が光軸まわりに回転する。さらに、前記キー部とカム筒２５に備えられた溝部（不図示）が係合し、カム筒２５に回転力を伝達する。カム筒２５の回転により、第２群鏡筒３２はカムフォロア２６を介して案内溝２４ａとカム溝２５ａの相対関係に従いながら光軸方向に移動する。以上がカムフォロア２６の機能である。
【００２４】
３１は第１レンズユニット１０１を保持する第１群鏡筒であり、フォーカスユニット１０８との当接部３１ａ、保護リング５２との取り付け部３１ｂを備える。さらに、スイッチリング５１と嵌合する嵌合部３１ｃ、締付リングホルダ５０の取り付け部３１ｄ、再生リングホルダ４９との取り付け部３１ｅを備える。３２はフォーカス用の第２レンズユニット１０２を保持する第２群鏡筒であり、カムフォロア２６を固定する座部３２ａを備える。
【００２５】
３３は第３レンズユニット１０３を保持する固定の第３群鏡筒であり、不図示のコロを介して固定筒２２に固定される取り付け部（不図示）を有する。３４は防振用の第４レンズユニット１０４を保持する第４群鏡筒であり、防振ユニット１０９の駆動部（不図示）からの駆動力により光軸に垂直な平面内でシフトすることで手振れによる像ぶれの補正を行う機能を有する。３５は第５レンズユニット１０５を保持する固定の第５群鏡筒であり、固定筒２２との取り付け部（不図示）を有する。
【００２６】
３６は第６レンズユニット１０６を保持する固定の第６群鏡筒であり、フィルタホルダ５７に対してＹ方向へ抜き差し可能となっている。１０７は絞りユニットであり、第３群鏡筒３３の物体側（被写体側）に配置され、複数の絞り羽根、駆動部材及びカバー部材（不図示）等から構成される。不図示のフレキシブルプリント基板は、その一端が絞りユニット１０７に接続され、他方が電気回路基板３７に接続されている。電気回路基板３７からの駆動信号により、絞り羽根は駆動され通過光束を規制する。
【００２７】
防振ユニット１０９は、光軸に垂直な平面内でシフトすることで手振れの補正を行う第４群鏡筒３４（可動部）を駆動させる駆動部（不図示）を有する。さらに、不図示のフレキシブルプリント基板は、その一端が防振ユニット１０９の駆動部に接続され、他方が電気回路基板３７に接続されている。電気回路基板３７からの駆動信号により、第４群鏡筒３４は駆動される。
【００２８】
電気回路基板３７は、交換レンズ２内において種々の駆動のための演算およびカメラ１との情報伝達の処理を行う。４０は接点部材で、その片端が電気回路基板３７に接続されている接点部（不図示）を有し、カメラ１に取り付けた時にカメラ１の接点部と接触して、カメラ１との情報伝達を行うようになっている。フォーカスユニット１０８は不図示の駆動源と、キー部（不図示）、角速度を検出するセンサ等が実装された部材の取り付け部（不図示）を備える。また、前記駆動源は電気回路基板３７と、フレキシブルプリント基板等で接続されていて電気回路基板３７からの駆動信号により駆動される。
【００２９】
４７は再生リングであり、再生リングホルダ４９に対して回転可能に保持される。再生リング４７は予め定められた回転角のみ回転し、不図示の弾性部材によって前記回転角の中点位置に復帰するよう付勢されている。さらに、不図示の検知スイッチにより再生リング４７の回転を検知すると、予めセットしておいたフォーカス位置に対して復帰する機能を有する。４９は再生リングホルダであり、第１群鏡筒３１の取り付け部３１ｅに対して締結等の方法で固定され、再生リング４７を回転可能に保持する機能を有する。
【００３０】
５０は締付リングホルダであり、第１群鏡筒３１の取り付け部３１ｄに対して締結等の方法で固定される。５１はスイッチリングであり、後述する係合部材５８によりスイッチリング５１と第１群鏡筒３１は係合固定される。また、スイッチリング５１には、後述する押圧スイッチよりなる操作手段５９が搭載されており、撮影者の操作を検知するとオートフォーカスの実行・停止、手ぶれ補正機能の実行・停止等、予めカメラ１で設定しておいた各種の機能を行う。
【００３１】
５２は保護リングであり、第１群鏡筒３１との取り付け部５２ａ、フード等のアクセサリを装着するためのツバ部５２ｂを有している。このような構成のレンズ鏡筒において、不図示のレリーズボタンの操作がなされると、オートフォーカス、露出決定動作の後、撮像素子の露光及び取得された画像の記録動作がなされる。以上がレンズ鏡筒を構成する個々の部材である。
【００３２】
次に、本実施例のレンズ鏡筒に関わる主な部品の相互関係について説明する。以下、図１、図３、および図４を参照して、本発明の実施例のレンズ鏡筒の構成について説明する。図１は図２に示した要部断面図である。図１（ａ）は係合部材（係合ピン、凸部）５８が第１群鏡筒（固定部材）３１の係合溝３１ｆに係合している状態である。図１（ｂ）は図１（ａ）と異なる断面で操作手段（押圧スイッチ）５９を含む断面である。図１（ｃ）は係合部材５８が第１群鏡筒３１の係合溝３１ｆから外れている状態を示す。
【００３３】
操作手段５９は押圧スイッチよりなり、レンズユニットの各種の駆動を制御する目的で備えられている。また、操作手段５９はスイッチリング５１の外周で円周方向に９０度ごと４箇所に設けられている。操作手段５９はフレキシブルプリント基板６０上に実装された状態でスイッチリング５１に固定されている。さらに、操作手段５９はフレキシブルプリント基板６０にはんだ付けされたリード線６１で直列に接続され、電気回路基板３７に接続されている。
【００３４】
スイッチリングゴム６２は操作手段５９を覆うように配置されている。撮影者がスイッチリングゴム６２の押圧部６２ａを介して操作手段５９を操作する（押し込む）。そうすると、例えばカメラ１内のオートフォーカスの実行・停止や手ぶれ補正機能の実行・停止等、予めカメラで設定しておいた機能が動作する。また、スイッチリング５１の外径側には防塵部材６３が配置されており、締付リング６４の内径側とスイッチリング５１の外径で挟まれることで防塵及び防滴を行っている。
【００３５】
本実施例におけるスイッチリング５１の固定方法について説明する。図１（ａ）に示すようにスイッチリング５１には、係合部材５８が接着等により固定されている。本実施例では係合部材５８が光軸を対称に対向して２ヶ所に配置されている。本実施例では、スイッチリング５１と係合部材５８は別体だが、一体的に構成しても良い。係合部材５８は第１群鏡筒３１の係合溝３１ｆに係合している。本実施例では、第１群鏡筒３１と係合溝３１ｆは同一部材だが、係合溝を有したリング部材等を第１群鏡筒３１に固定する構成としても良い。スイッチリング５１は第１群鏡筒３１の嵌合部３１ｃで径嵌合している。
【００３６】
また、スイッチリング５１はスイッチリングゴム６２を介して付勢手段としての締付リング６４で締付けられている。これにより、図１（ａ）に示すように、係合部材５８と第１群鏡筒３１の係合溝３１ｆが係合し、かつ光軸方向に当接することでスイッチリング５１の位置が固定される。この時、スイッチリングゴム６２と締付リング６４の間にすべりシート６５を介することで滑らかに締付リング６４を操作することができるようになっている。
【００３７】
締付リング６４は第１群鏡筒３１に固定された締付リングホルダ５０に螺合しており、締付リング６４を回転操作させることで光軸方向に進退する。締付リング６４の光軸方向の移動により、スイッチゴム６２を介してスイッチリング５１が光軸方向へ移動する。次に、スイッチリング５１の光軸回転方向の位置調整方法について説明する。締付リング６４は回転操作により光軸方向に進退する。図１（ａ）に示すよう締付リング６４の光軸方向の移動量Ｌ１は、締付リングホルダ５０とメカ的な位置関係で決まっている。
【００３８】
係合部材５８と第１群鏡筒３１の係合溝３１ｆとの光軸方向の係合量Ｌ２を締付リング６４の光軸方向の移動量Ｌ１より小さく（Ｌ２＜Ｌ１）している。これにより締付リング６４をカメラ１側に移動させたときに図１（ｃ）に示すように係合部材５８と第１群鏡筒３１の係合溝３１ｆとの係合を解除している。係合部材５８と第１群鏡筒３１の係合溝３１ｆとの係合が解除されると、スイッチリング５１は光軸中心に回転可能となる。スイッチリング５１の回転範囲は図３に示した第１群鏡筒３１に取付けられる回転規制部材６６とスイッチリング５１の回転規制部５１ａが当接することで規制される。
【００３９】
また、スイッチリング５１が回転する際に操作手段５９と電気回路基板３７とを接続するフレキシブルプリント基板６０は、第１群鏡筒３１とスイッチリング５１との間でＵターン可能に配置されている。
【００４０】
図４に示すように第１群鏡筒３１の係合溝３１ｆは周方向に複数箇所（２箇所）設けられている。本実施例の場合には各箇所に係合溝３１ｆが２９個設けられている。この時、第１群鏡筒３１の周方向に係合溝３１ｆが形成されていない領域３１ｇを設けている。そして領域３１ｇに操作手段５９を実装したフレキシブルプリント基板６０のＵターン部が位置するようにしている。この隙間を利用することにより、レンズ鏡筒全体の大型化を防いでいる。
【００４１】
係合部材５８と係合溝３１ｆとの係合を解除したスイッチリング５１が回転可能な状態（図１（ｃ）の状態）において、撮影者が２９ヶ所の係合溝３１ｆの中から好みの位相に係合部材５８が係合するようにスイッチリング５１を回転させる。そしてスイッチリング５１を被写体側に押し込み、第１群鏡筒３１の係合溝３１ｆにスイッチリング５１に設けた係合部材５８を係合させる。その後、締付リング６４を回転させ被写体側に移動させ、スイッチゴム６２を介してスイッチリング５１を締付けることでスイッチリング５１の光軸回転方向の位置調整は完了する。
【００４２】
本実施例では操作手段５９はスイッチリング５１の周上で周方向に９０°ごとに４箇所設けている。このため、スイッチリング５１を９０°程度回転可能に設定すれば、撮影者はほぼ全ての領域で操作手段５９の光軸回転方向の位置調整が可能となる。
【００４３】
次に、係合部材５８と操作手段５９、および電気回路基板３７の光軸方向の位置関係について説明する。図１（ａ），（ｂ）に示すように、係合部材５８は光軸方向において操作手段５９の中心と電気回路基板３７との間には配置されていない。したがって、スイッチリング５１を回転操作させた際に、操作手段５９と電気回路基板３７とを接続するフレキシブルプリント基板６０と係合部材５８が接触することがない。このためフレキシブルプリント基板６０と係合部材５８が接触して断線を引き起こすことがなく信頼性が高いレンズ鏡筒が得られる。
【００４４】
本実施例において係合部材５８を第１群鏡筒３１側に設け、係合溝３１ｆをスイッチリング５１側に設けても良い。
【００４５】
以上のように本実施例によれば、交換レンズの各種の動作を駆動させるための押圧スイッチ等の操作手段をスイッチリング等の操作部材の周上であって、撮影者の好みに合った位置に設定することができる。このとき、操作部材５１に設けられた固定部材（第１群鏡筒３１）と係合する係合部材５８と操作手段５９と電気回路基板３７とを接続するフレキシブルプリント基板６０とが接触することなく設定することができる。
【００４６】
以上、本発明の好ましい実施形態について説明したが、本発明はこれらの実施形態に限定されず、その要旨の範囲内で種々の変形及び変更が可能である。
【符号の説明】
【００４７】
３１：固定部材（第１群鏡筒）        ３１ｆ：係合溝
３１ｇ：フレキシブルプリント基板Ｕターン領域      ５０：締付リングホルダ
５１：操作部材（スイッチリング）      ５８：係合部材      ５９：操作手段
６０：接続部材（フレキシブルプリント基板）      ６２：スイッチリングゴム
６４：付勢部材（締付リング）
【図１】
2012154997.tif 000003
【図２】
2012154997.tif 000004
【図３】
2012154997.tif 000005
【図４】
2012154997.tif 000006